(57)【要約】 【課題】低コストで容易に製作できる外装パネル用役物の構造を提供することを目的とする。【解決手段】外装パネル用役物３０は、ベース材４０とカバー材３３から成る。カバー材３３には垂設する一対の脚部３６と爪部３７とが連続して形成されるが、爪部３７はカバー材３３の長尺方向に断続的且つ左右交互に設けられる。ベース材４０は平板４４の爪部３７に対応する矩形の係止部領域４４ａをその長尺方向の一辺４４ｂを残して他の三辺を切断し、一辺４４ｂを中心に係止部領域４４ａを上方に折り曲げて係止板４１ｂを形成する。さらに、係止板４１ｂの上端を折り曲げて上端部４１ｃに爪部３７を係止する第一の係止部４２ｄが形成される。爪部３７及び第一の係止部４２ｄはカバー材３３の長尺方向に断続的且つ左右交互に設けられる。【選択図】  図１
2008002248.tif 000002
【特許請求の範囲】
【請求項１】
建築物の外壁本体に設けられる一対の外装パネルの端部を覆うベース材とカバー材から成る長尺の外装パネル用役物の構造であって、
前記カバー材の断面形状は、外壁本体に略平行な第一の表面部と、この第一の表面部の両端で折返し前記第一の表面部の裏面に沿う第二の表面部と、この第二の表面部の先端から垂設する一対の脚部と、前記一対の脚部の下端から互いに離反する方向に折返して長尺方向に左右交互に設けられる爪部と、が連続して形成され、
前記ベース材は、長尺の平面板の前記爪部に対応する矩形部領域を長尺方向の一辺を中心に他の切断された三辺を折り曲げて形成される係止板と、この係止板の先端を折り曲げて形成される前記爪部を係止する第一の係止部と、前記一辺とその対辺の両下端部から前記外壁本体に沿って延設される取付部と、が連続して形成され、
前記カバー材と前記ベース材の断面形状は長尺方向に連続視で左右対称形に設けられ、前記係止板と前記第一の係止部は対称軸に平行に形成されることを特徴とする外装パネル用役物の構造。
【請求項２】
請求項１に記載の外装パネル用役物の構造であって、前記係止板の一部を切曲げて前記爪部と係止する第二の係止部が形成されることを特徴とする外装パネル用役物の構造。
【請求項３】
請求項１又は請求項２に記載の外装パネル用役物の構造であって、前記外壁本体に沿う一対の取付部の挟角は１８０度又は９０度に形成されることを特徴とする外装パネル用役物の構造。
【請求項４】
請求項１乃至請求項３のいずれか１項に記載の外装パネル用役物の構造であって、前記ベース材とカバー材は鋼板による板金加工で一体形成されることを特徴とする外装パネル用役物の構造。
【請求項５】
建築物の外壁本体の出隅部に設けられる一対の外装パネルの端部を覆うベース材とカバー材から成る長尺の外装パネル用役物の形成方法であって、
前記カバー材の断面形状は、外壁本体に略平行な第一の表面部と、この第一の表面部の両端で折返し前記第一の表面部の裏面に沿う第二の表面部と、この第二の表面部の先端から垂設する一対の脚部と、前記一対の脚部の下端から互いに離反する方向に折返して長尺方向に左右交互に設けられる爪部と、が連続して折り曲げ形成され、
前記ベース材は、長尺の平面板の前記爪部に対応する矩形領域を長尺方向の左右交互の一辺を残して他の三辺を切断し、前記一辺を中心に前記矩形領域を４５度上方に折り曲げて係止板を斜設し、この係止板の先端を折り曲げて前記爪部を係止する第一の係止部を形成した後、前記平面板を前記矩形領域の中心線周りに９０度下方に折り曲げることで、前記爪部から前記一辺とその対辺の両下端部より前記外壁本体に沿って延設される取付部まで連続して形成され、
前記カバー材と前記ベース材の断面形状が長尺方向に連続視で左右対称形に設けられ、前記係止板は対称軸と平行に形成されることを特徴とする外装パネル用役物の形成方法。
【発明の詳細な説明】
【技術分野】
【０００１】
本発明は、外壁本体に設ける一対の外装パネルの端部を覆う外装パネル用役物の構造と外装パネル用役物の形成方法に関し、特に、低コストで容易に製作できる外装パネル用役物の技術に関する。
【背景技術】
【０００２】
従来、外壁本体の平面部や出隅に金属サイディングを外装パネルとして設ける場合に、横張り状又は縦張り状に設けられた一対の外装パネルの端部を覆う外装パネル用役物は防水性、施工性に優れた構造が求められていた。
【０００３】
このような外装パネル用役物として特許文献１の記載が知られている。特許文献１によれば、図１３に示すように、外装パネル用役物はカバー材１とベース材２で構成される。
【０００４】
カバー材１の断面形状は長尺金属板の中央平面部を表面化粧部１１とし、この表面化粧部１１の両側部を折り曲げ、さらに表面化粧部１１の裏面の中心部１４で折り返して左脚部１２と右脚部１３が形成され、その先端部は折曲げられて左係止片１２１、右係止片１３１が形成される。
【０００５】
カバー材１の表面化粧部１１の裏面両端には、その長さ方向に沿って防水パッキンＰを備えている。また、表面化粧部１１の裏面略中央における左脚部１２の折り返し部１２０と右脚部１３の折り返し部１３０とが相互に近接して形成される。
【０００６】
ベース材２の断面形状は、ベース部２ａに一対の嵌合部２０が立設された構造で、この嵌合部２０にカバー材１の左係止片１２１と係合する左係合片２１と右係止片１３１と係合する右係合片２２とがそれぞれ設けられる。
【０００７】
このため、カバー材１の左脚部１２と右脚部１３をベース材２に設けられた嵌合部２０に弾接して嵌合するとともに、一対の左係止片１２１と右係止片１３１を一対の左係合片２１と右係合片２２に各々係合させることにより、金属サイディングＳを外装パネル用役物に確実に取付けることができる。
【特許文献１】特開２００５−１２６９８８号公報
【発明の開示】
【発明が解決しようとする課題】
【０００８】
ところが、ベース材２の構造は、ベース部２ａと嵌合部２０と左係合片２１及び右係合片２２とを別々に製作して接合するか、又はベース材２全体を一体的に押出し成形で製作する必要があった。
【０００９】
このため、製作コストが高くなるという問題があった。
【００１０】
そこで、本発明は、低コストで容易に製作できる外装パネル用役物の構造と外装パネル用役物の形成方法を提供することを目的とする。
【課題を解決するための手段】
【００１１】
請求項１の発明は、建築物の外壁本体に設けられる一対の外装パネルの端部を覆うベース材とカバー材から成る長尺の外装パネル用役物の構造であって、前記カバー材の断面形状は、外壁本体に略平行な第一の表面部と、この第一の表面部の両端で折返し前記第一の表面部の裏面に沿う第二の表面部と、この第二の表面部の先端から垂設する一対の脚部と、前記一対の脚部の下端から互いに離反する方向に折返して長尺方向に左右交互に設けられる爪部と、が連続して形成され、前記ベース材は、長尺の平面板の前記爪部に対応する矩形部領域を長尺方向の一辺を中心に他の切断された三辺を折り曲げて形成される係止板と、この係止板の先端を折り曲げて形成される前記爪部を係止する第一の係止部と、前記一辺とその対辺の両下端部から前記外壁本体に沿って延設される取付部と、が連続して形成され、前記カバー材と前記ベース材の断面形状は長尺方向に連続視で左右対称形に設けられ、前記係止板と前記第一の係止部は対称軸に平行に形成されることを特徴としている。
【００１２】
請求項２の発明は、請求項１に記載の外装パネル用役物の構造であって、前記係止板の一部を切曲げて前記爪部と係止する第二の係止部が形成されることを特徴としている。
【００１３】
請求項３の発明は、請求項１又は請求項２に記載の外装パネル用役物の構造であって、前記外壁本体に沿う一対の取付部の挟角は１８０度又は９０度に形成されることを特徴としている。
【００１４】
請求項４の発明は、請求項１乃至請求項３のいずれか１項に記載の外装パネル用役物の構造であって、前記ベース材とカバー材は鋼板による板金加工で一体形成されることを特徴としている。
【００１５】
請求項５の発明は、建築物の外壁本体の出隅部に設けられる一対の外装パネルの端部を覆うベース材とカバー材から成る長尺の外装パネル用役物の形成方法であって、前記カバー材の断面形状は、外壁本体に略平行な第一の表面部と、この第一の表面部の両端で折返し前記第一の表面部の裏面に沿う第二の表面部と、この第二の表面部の先端から垂設する一対の脚部と、前記一対の脚部の下端から互いに離反する方向に折返して長尺方向に左右交互に設けられる爪部と、が連続して折り曲げ形成され、前記ベース材は、長尺の平面板の前記爪部に対応する矩形領域を長尺方向の左右交互の一辺を残して他の三辺を切断し、前記一辺を中心に前記矩形領域を４５度上方に折り曲げて係止板を斜設し、この係止板の先端を折り曲げて前記爪部を係止する第一の係止部を形成した後、前記平面板を前記矩形領域の中心線周りに９０度下方に折り曲げることで、前記爪部から前記一辺とその対辺の両下端部より前記外壁本体に沿って延設される取付部まで連続して形成され、前記カバー材と前記ベース材の断面形状が長尺方向に連続視で左右対称形に設けられ、前記係止板は対称軸と平行に形成されることを特徴としている。
【発明の効果】
【００１６】
請求項１の発明によれば、建築物の外壁本体に設けられる一対の外装パネルの端部を覆う長尺の外装パネル用役物の構造であって、前記カバー材の前記一対の脚部の下端から互いに離反する方向に折返して長尺方向に左右交互に爪部が設けられる。そして、前記ベース材は、長尺の平面板の前記爪部に対応する矩形部領域を長尺方向の一辺を中心に他の切断された三辺を折り曲げて形成される係止板を、さらにその先端を折り曲げるだけで前記爪部を係止する第一の係止部が連続形成される。
【００１７】
このため、外装パネル用役物を低コストで容易に製作することができる。
【００１８】
請求項２の発明によれば、前記係止板の一部を切曲げるだけの作業で第二の係止部が形成できるので、請求項１の効果と同様の効果を得ることができる。
【００１９】
そして、前記爪部と係止する第一の係止部と第二の係止部を使い分けるだけで、厚さの異なる二種類の外装パネルに対応できる。このため、在庫を減らすことができるのでコストダウンに繋がる。
【００２０】
請求項３の発明によれば、前記外壁本体に沿う一対の取付部の挟角は１８０度又は９０度に形成されるので、外装パネル用役物のカバー材とベース材を同様の構成で外壁本体の平面箇所又は出隅箇所に使用できる。このため、略同じ工程を用いて加工できるので生産性が向上する。
【００２１】
請求項４の発明によれば、前記ベース材とカバー材は鋼板による板金加工で一体形成されので、容易且つ低コストで製作することができる。
【００２２】
請求項５の発明によれば、請求項１の効果と同様の効果を得ることができる。
【発明を実施するための最良の形態】
【００２３】
以下に、本発明の第１の実施形態を図１〜図５に基づいて説明する。
【００２４】
＜外装パネル用役物の構造の構成＞
図１、図２、図３に示すように、本発明の外装パネル用役物３０は、建築物の外壁本体３１の出隅部に設けられる一対の外装パネル３２の端部３２ａを覆うベース材４０とカバー材３３から成る長尺の外装パネル用役物３０である
カバー材３３は板厚Ｑ１＝０．８ｍｍの鋼板を用いて連続して形成され、第一の表面部３４は外壁本体３１に平行に設けられ、開度θ１＝９０度で形成される。対称軸Ｒは第一の表面部３４の中心点３４ｄを通る。
【００２５】
第一の表面部３４の両端３４ａは折返して第一の表面部３４の裏面に沿う第二の表面部３５が形成される。
【００２６】
第一の表面部３４の両端３４ａ間の幅Ｋ１＝５７ｍｍで、第一の表面部３４と第二の表面部３５は、両端３４ａから長さＫ２＝１３ｍｍの位置３４ｂまで傾斜部３４ｃが角度β１＝１０度で傾斜し、この傾斜部３４ｃに防水用のパッキン材４５が固着される。
【００２７】
第二の表面部３５の先端３５ａには垂設する一対の脚部３６が設けられ、一対の脚部３６の下端３６ａから互いに離反する方向に折返して爪部３７が設けられる。
【００２８】
より詳しくは、一対の脚部３６の爪部３７はカバー材３３の長尺方向に断続的且つ左右交互に設けられる。このため、カバー材３３の断面形状は長尺方向に連続視で左右対称形である。
【００２９】
その位置関係は、爪部３７はカバー材３３の長尺方向の端部Ｍから長さＰ＝３０ｍｍの位置を起点として長さＰ１＝８０ｍｍの領域に形成され、さらに、長尺方向にピッチＰ２＝７０ｍｍで規則正しく左右交互に設けられる。
【００３０】
脚部３６の垂直長さＳ＝２１ｍｍ、両先端３５ａ間の長さＳ１＝１３ｍｍ、両下端３６ａ間の長さＳ２＝３ｍｍ。爪部３７の長さＳ３＝５ｍｍ、爪部３７の先端３７ａ間の長さＳ４＝１１ｍｍで形成される。
【００３１】
なお、爪部３７が設けられない領域における脚部３６の先端３６ｂの位置は、爪部３７の先端３７ａよりも先端３５ａ側に設けられる。
【００３２】
図４、図５に示すように、ベース材４０は板厚Ｑ１＝０．８ｍｍの長尺の平板４４を用いて形成される。
【００３３】
まず、平板４４の爪部３７に対応する矩形の係止部領域４４ａをその長尺方向の一辺４４ｂを残して他の三辺４４ｃ、４４ｄ、４４ｅを切断し、この一辺４４ｂを中心に係止部領域４４ａを上方に折り曲げて係止板４１ｂを形成する。さらに、この係止板４１ｂの上端を折り曲げて上端部４１ｃに爪部３７を係止する第一の係止部４２ｄが形成される。
【００３４】
ベース材４０の取付部４２は、平板４４の係止部領域４４ａを除く領域である。取付部４２は外壁本体３１に沿って角度θ２＝９０度で形成される。
【００３５】
より詳しくは、第一の係止部４２ｄが形成された係止板４１ｂはベース材４０の長尺方向に断続的且つ左右交互に設けられる。このため、ベース材４０の断面形状は長尺方向に連続視で対称軸Ｒに対して左右対称形である。
【００３６】
係止板４１ｂは、高さＴ１＝１５ｍｍ、間隙Ｔ２＝１６ｍｍ、取付部４２の長さＴ３＝３５ｍｍ、先端４２ａ間の幅Ｔ４＝６５ｍｍである。第一の係止部４２ｄは係止板４１ｂに対して角度β２＝４２度、水平方向の幅Ｔ６＝３ｍｍ、第一の係止部４２ｄ間の水平方向の間隙Ｔ５＝８ｍｍである。
【００３７】
開口部４２ｃはカバー材３３の一対の脚部３６に対応して、長尺方向の端部Ｍから長さＰ＝３０ｍｍの位置を起点として設けられ、長さＰ１＝８０ｍｍで、ピッチＰ２＝１３０ｍｍで規則正しく断続的に設けられる。
【００３８】
＜ベース材４０の形成方法＞
図６、図７、図８、図９を用いて、ベース材４０の形成方法を説明する。  
図６（ａ）、（ｂ）に示すように、長尺の平板４４に矩形の係止部領域４４ａが端部Ｍから長さＰ＝２０ｍｍの位置を起点として設けられる。係止部領域４４ａは長さＰ１＝６０ｍｍ、幅Ｙ２＝２０ｍｍで、長尺方向にピッチＰ２＝７５ｍｍで規則正しく断続的に設けられる。この係止部領域４４ａの長尺方向の一辺４４ｂを残して他の三辺４４ｃ、４４ｄ、４４ｅをコ字状に切断する。切断された後の長さＹ３＝５６ｍｍで、幅Ｙ４＝１８ｍｍの二辺４４ｃ、４４ｄの中心を結ぶ線が対称軸Ｒである。このコ字状は各ピッチＰ２毎に交互に向き合うように切断して形成される。
【００３９】
図７（ａ）、（ｂ）に示すように、一辺４４ｂを中心に係止部領域４４ａを角度θ３＝４５度で折り曲げて係止板４１ｂを形成する。
【００４０】
図８（ａ）、（ｂ）に示すように、係止板４１ｂの上端を折り曲げて第一の係止部４２ｄを形成してから、対称軸Ｒを中心に平板４４を矢印で示すように下方に折り曲げる。
【００４１】
図９（ａ）、（ｂ）に示すように、平板４４を下方に角度θ２＝９０度折り曲げることでベース材４０が形成される。平板４４の一辺４４ｂより外側が取付部４２である。なお、ベース材４０の両端部に折返部が形成されることもあり、図９（ａ）では折返部Ｍ２が形成された状態を示す。
【００４２】
ベース材４０とカバー材３３はそれぞれ鋼板による板金加工で連続的に一体形成される。ベース材４０は薄板鋼板の両表面にアルミ・亜鉛合金メッキを施される。
【００４３】
カバー材３３は両表面にアルミ・亜鉛合金メッキが施された薄板鋼板に、表面側にフッ素樹脂塗装、裏面側にポリエステル樹脂塗装が施された材料が用いられる。
【００４４】
外装パネル用役物３０のベース材４０を外壁本体３１に固着する場合、ベース材４０の取付部４２は図示しないビス等の固着具を介して外壁本体３１に固着される。
【００４５】
外装パネル３２は断熱性、遮音性等を目的として、内部の断熱材を図示しない薄肉の金属板で被覆してなる厚さＨ１＝２１ｍｍの金属サイディングが用いられ、表面に図示しない凹凸パターンが形成されることもある。  
複数の外装パネル３２は外壁本体３１の下から上に向かって順番に横張りで組付ける場合と左右方向に縦張りで取付ける場合とがある。また、図示しない胴縁を介して取付けることもある。そして、外装パネル用役物３０は取付時にパッキン材４５とは別途、必要により図示しないシール材を用いて防水対策が施される。
【００４６】
＜外装パネル用役物の構造の作用＞  
上記のように、一対の脚部３６の両下端３６ａ間の長さＳ２＝３ｍｍ、爪部３７の先端３７ａ間の長さＳ４＝１１ｍｍで形成される。なお、先端３７ａ間の長さＳ４は、上記、左右交互に設けられる爪部３７を長尺方向に連続視した状態での長さを表している。
【００４７】
脚部３６を弾力的に狭めると先端３７ａ間の長さはＳ４−Ｓ２＝８ｍｍである。一方、ベース材４０の開口部４２ｃの水平方向の間隙Ｔ５＝８ｍｍである。このため、一対の脚部３６を開口部４２ｃに容易に挿入することができる。
【００４８】
挿入後は脚部３６は弾力で自然状態に戻るので、先端３７ａが第一の係止部４２ｄとしての水平方向の幅Ｔ６＝３ｍｍ領域に確実に係止される。
【００４９】
長尺の平板４４の矩形の係止部領域４４ａの一辺４４ｂを残して他の三辺４４ｃ、４４ｄ、４４ｅをコ字状に切断し、一辺４４ｂを中心に係止部領域４４ａを折り曲げて係止板４１ｂを形成し、その係止板４１ｂの上端を折り曲げるだけで、爪部３７を係止する第一の係止部４２ｄが自動的に形成される。このため、外装パネル用役物３０は低コストで容易に製作することができる。
【００５０】
また、ベース材とカバー材は鋼板による板金加工でそれぞれ一体形成されるので、低コストで容易に製作することができる。
【００５１】
＜第２の実施形態＞
本発明の第２の実施形態を図１０〜図１１を用いて説明するが、図１〜図５に示す外装パネル用役物３０の構成と同構成部分については、図面に同符号を付して重複した説明を省略する。
【００５２】
図１０（ａ）、（ｂ）、図１１（ａ）、（ｂ）に示すように、外装パネル用役物３０ａは、第一の係止部４２ｄに追加して、係止板４１ｂの一部を切曲げて爪部３７と係止する第二の係止部４２ｅが形成される。第一の係止部４２ｄ及び第二の係止部４２ｅは互いに平行に形成されて、長尺方向に断続的且つ左右交互に設けられる。
【００５３】
この外装パネル用役物３０ａであれば、第一の係止部４２ｄと第二の係止部４２ｅの二箇所を任意に選んで使用できるので、上記第１の実施形態における厚さＨ１＝２１ｍｍの外装パネル３２を第一の係止部４２ｄで使用し、厚さＨ２＝１６ｍｍの外装パネル３２に対して第二の係止部４２ｅが使用できる。
【００５４】
このため、在庫を減らすことができるので、コストダウンに繋がる。
【００５５】
＜第３の実施形態＞
本発明の第３の実施形態を図１２を用いて説明するが、図２、図１０（ａ）に示す外装パネル用役物の構成と同構成部分については、図面に同符号を付して重複した説明を省略する。
【００５６】
外壁本体の平面部に沿う外装パネル用役物３０ｂはベース材４０ｂとカバー材３３ｃから成る。ベース材４０ｂの一対の取付部４２は角度θ３＝１８０度で連続して形成され、カバー材３３ｃは幅Ｋ６＝４５ｍｍ、第一の表面部３４ｇは取付部４２と平行に幅Ｋ５＝２１ｍｍで形成される。
【００５７】
本発明の第３の実施形態によれば、外壁本体の平面部に用いることができて本発明の第１の実施形態と同様の効果が得られる。
【００５８】
以上、本発明の実施形態を図面に基づいて説明したが、上記の実施例はいずれも本発明の一例を示したものであり、本発明はこれらに限定されるべきでないということは言うまでもない。
【００５９】
たとえば、図２におけるカバー材３３の形状は、対称軸Ｒ近傍の第一の表面部３４が、第二の表面部３５の両先端３５ａと同じ位置で対称軸Ｒに対して直角に折れ曲がっている構造でも構わない。
【００６０】
カバー材３３の開度θ１は９０度以外の角度にも微調整対応できる。
【００６１】
外装パネル用役物は外装パネル端部が上下、左右どちらの方向であっても使用できる。
【図面の簡単な説明】
【００６２】
【図１】本発明の第１の実施形態における、建築物の外壁本体３１の出隅部に設ける一対の外装パネル３２の端部を覆うベース材４０とカバー材３３から成る外装パネル用役物３０の断面図である。
【図２】本発明の第１の実施形態における、カバー材３３の断面図である。
【図３】本発明の第１の実施形態における、図２のＡ−Ａの断面図である。
【図４】本発明の第１の実施形態における、ベース材４０の断面図である。
【図５】本発明の第１の実施形態における、図４のＢ−Ｂの矢視図である。
【図６】本発明の第１の実施形態における、長尺の平板に設けられる矩形の係止部領域の長尺方向の一辺を残して他の三辺をコ字状に切断された状態を示す、（ａ）は側面図、（ｂ）は平面図である。
【図７】本発明の第１の実施形態における、一辺を中心に係止部領域を角度４５度で折り曲げて係止板を形成する状態を示す、（ａ）は側面図、（ｂ）は平面図である。
【図８】本発明の第１の実施形態における、係止板の中心を対称軸にして係止板の両端を下方に折り曲げる状態を示す、（ａ）は側面図、（ｂ）は平面図である。
【図９】本発明の第１の実施形態における、係止板の両端を下方に９０度折り曲げることでベース材４０が形成される状態を示す、（ａ）は側面図、（ｂ）は平面図である。
【図１０】本発明の第２の実施形態における、（ａ）は建築物の外壁本体の出隅部に設けられる外装パネル用役物３０ａのベース材４０ａの断面図、（ｂ）はベース材４０ａの展開平面図である。
【図１１】本発明の第２の実施形態における、（ａ）はカバー材３３を第一の係止部４２ｄに係止する状態を示す断面図、（ｂ）はカバー材３３を第二の係止部４２ｅに係止する状態を示す断面図である。
【図１２】本発明の第３の実施形態における、建築物の外壁本体の平面部に設けられるベース材４０ｂとカバー材３３ｃから成る外装パネル用役物３０ｂの断面図である。
【図１３】従来の、建築物の外壁本体に設けられる一対の外装パネルの端部を覆うベース材とカバー材から成る外装パネル用役物の断面図である。
【符号の説明】
【００６３】
３０  外装パネル用役物
３３  カバー材
３６  脚部
３７  爪部
４０  ベース材
４１ｂ  係止板
４１ｃ  上端部
４４  平板
４４ａ  係止部領域
４４ｂ  一辺
４２ｄ  第一の係止部
【図１】
2008002248.tif 000003
【図２】
2008002248.tif 000004
【図３】
2008002248.tif 000005
【図４】
2008002248.tif 000006
【図５】
2008002248.tif 000007
【図６】
2008002248.tif 000008
【図７】
2008002248.tif 000009
【図８】
2008002248.tif 000010
【図９】
2008002248.tif 000011
【図１０】
2008002248.tif 000012
【図１１】
2008002248.tif 000013
【図１２】
2008002248.tif 000014
【図１３】
2008002248.tif 000015